(57)【特許請求の範囲】
【請求項１】
複数の操作用キーと、
前記操作用キーを照明するキー照明部と、
前記操作用キーのうちから照明対象キーを選択する制御部と、
音声通話とデータ通信とを行う無線部
とを備え、
前記無線部が前記データ通信を行っている場合、前記制御部は、前記無線部が前記データ通信を行っている間に前記操作用キーが操作された頻度を検出し、検出された頻度に基づいて前記操作用キーのうちから前記照明対象キーを選択し、前記キー照明部は、前記操作用キーのうちの前記照明対象キーを照明し、前記操作用キーのうちの他を照明せず、
前記無線部が前記音声通話を行っている場合、前記制御部は、前記操作用キーが操作された頻度を検出せず、前記照明対象キーとして前記操作用キーのいずれも選択しない
携帯電話端末。
【請求項２】
請求項１に記載の携帯電話端末において、
更に、
前記データ通信によって送られてくるデータを表示する表示部と、
前記表示部を照明する表示用照明部
とを備え、
前記表示用照明部は、前記無線部が前記音声通話を行っているとき、前記表示部を照明しない
携帯電話端末。
【請求項３】
請求項１に記載の携帯電話端末において、
更に、前記操作用キーのうちの、ユーザによって指定されるユーザ設定キーを記憶するユーザ設定メモリを備え、
前記選択部は、前記照明対象キーが前記ユーザ設定キーを含むように、前記照明対象キーを選択する
携帯電話端末。
【請求項４】
請求項１に記載の携帯電話端末において
更に、
前記キー照明部に電力を供給する電源部
を備え、
前記操作用キーは、通話の開始を前記無線部に指示する通話開始キーを含み、
前記電源部は、前記無線部に着信があると、前記キー照明部への電力の供給を開始し、且つ、前記通話開始キーが押されると、前記キー照明部への電力の供給を停止する
携帯電話端末。
【請求項５】
請求項４に記載の携帯電話端末において、
更に、
表示を行う表示部と、
前記表示部を照明する表示用照明部と
前記表示用照明部に電力を供給する表示用電源部
とを備え、
前記表示用電源部は、前記無線部に着信があると、前記表示用照明部への電力の供給を開始し、前記通話開始キーが押されると、前記表示用照明部に電力を供給することを停止する
携帯電話端末。
【請求項６】
請求項１に記載の携帯電話端末において、
更に、
前記キー照明部に電力を供給する電源部
を備え、
前記操作用キーは、通話の開始を前記無線部に指示する通話開始キーを含み、
前記電源部は、前記通話開始キー以外の前記操作用キーの操作が開始されると、前記キー照明部への電力の供給を開始し、且つ、前記通話開始キーが押されると、前記キー照明部への電力の供給を停止する
携帯電話端末。
【請求項７】
請求項６に記載の携帯電話端末において、
更に、
表示を行う表示部と、
前記表示部を照明する表示用照明部と
前記表示用照明部に電力を供給する表示用電源部
とを備え、
前記表示用電源部は、前記通話開始キー以外の前記操作用キーの操作が開始されると、前記表示用照明部への電力の供給を開始し、前記通話開始キーが押されると、前記表示用照明部に電力を供給することを停止する
携帯電話端末。
【請求項８】
複数の操作用キーと、
音声通話とデータ通信とを行う無線部
とを備える携帯電話端末の制御方法であって、
前記複数の操作用キーのうちから照明対象キーを選択するステップと、
前記照明対象キーを照明するステップ
とを備え、
前記照明対象キーを選択するステップは、前記無線部がデータ通信を行っている場合に、前記無線部が前記データ通信を行っている間に前記操作用キーが操作された頻度を検出し、検出された頻度に基づいて前記操作用キーのうちから前記照明対象キーを選択するステップを備え、
前記無線部が前記音声通話を行っている場合には、前記操作用キーが操作された頻度は検出されず、前記照明対象キーとして前記操作用キーのいずれも選択されない
携帯電話端末の制御方法。
【請求項９】
複数の操作用キーと、
音声通話とデータ通信とを行う無線部と
制御部
とを備える携帯電話端末を制御するための携帯電話端末制御プログラムであって、
複数の操作用キーのうちから照明対象キーを選択するステップと、
前記照明対象キーを照明するステップ
とを前記制御部に実行させ、
前記照明対象キーを選択するステップは、前記無線部がデータ通信を行っている場合に、前記無線部が前記データ通信を行っている間に前記操作用キーが操作された頻度を検出し、検出された頻度に基づいて前記操作用キーのうちから前記照明対象キーを選択するステップを備え、
前記無線部が前記音声通話を行っている場合には、前記操作用キーが操作された頻度は検出されず、前記照明対象キーとして前記操作用キーのいずれも選択されない
携帯電話端末制御プログラム。
【発明の詳細な説明】
【０００１】
【発明の属する技術分野】
本発明は、携帯電話端末、携帯電話端末の制御方法、及び携帯電話端末制御プログラムに関する。本発明は、特に、操作用キーと表示部とが照明される携帯電話端末に関する。
【０００２】
【従来の技術】
携帯電話のような携帯電話端末では、暗い場所での操作を容易にするために、操作用キーと表示部とが照明される。操作用キーに何らかの操作がなされると、操作用キーと表示部とが照明される。
【０００３】
しかしながら、この種の携帯電話端末では、操作用キーが頻繁に使用されると、表示部照明や操作用キーの照明が常時点灯する。例えば、携帯電話端末を使用してインターネットにアクセスしてデータ通信を行う場合、ブラウザの操作を行うために、操作用キーが頻繁に使用される。この結果、ブラウザの操作の際には、照明が常時点灯することになる。
【０００４】
照明が常時点灯していると、消費電流が増加し、電池の使用時間が短くなる。更に、照明が常時点灯していると、電池の電圧降下を招く。
【０００５】
携帯電話端末は、消費電流が低減されることが望まれる。
【０００６】
携帯電話端末は、電池の使用時間が長いことが望まれる。
【０００７】
携帯電話端末は、携帯電話端末全体に供給される電圧の降下が効果的に防がれることが望まれる。
【０００８】
【発明が解決しようとする課題】
本発明の目的は、消費電流が低減された携帯電話端末を提供することにある。
【０００９】
本発明の他の目的は、電池の使用時間が長い携帯電話端末を提供することにある。
【００１０】
本発明の更に他の目的は、携帯電話端末全体に供給される電圧の降下が効果的に防がれた携帯電話端末を提供することにある。
【００１１】
【課題を解決するための手段】
その課題を解決するための手段は、下記のように表現される。その表現中に現れる技術的事項には、括弧（）つきで、番号、記号等が添記されている。その番号、記号等は、本発明の複数の実施の形態のうちの、少なくとも１つの実施の形態を構成する技術的事項、特に、その実施の形態に対応する図面に表現されている技術的事項に付せられている参照番号、参照記号等に一致している。このような参照番号、参照記号は、請求項記載の技術的事項と実施の形態の技術的事項との対応・橋渡しを明確にしている。このような対応・橋渡しは、請求項記載の技術的事項が実施の形態の技術的事項に限定されて解釈されることを意味しない。
【００１２】
本発明による携帯電話端末は、複数の操作用キー（１１０−１〜１１０−Ｎ）と、操作用キーを照明するキー照明部（１０７）と、操作用キー（１１０−１〜１１０−Ｎ）のうちから照明対象キーを選択する選択部（１０５）とを備えている。キー照明部（１０７）は、操作用キー（１１０−１〜１１０−Ｎ）のうちの照明対象キーを照明し、操作用キー（１１０−１〜１１０−Ｎ）のうちの他を照明しない。当該携帯電話端末では、操作用キー（１１０−１〜１１０−Ｎ）のうちの照明対象キーを照明し、操作用キー（１１０−１〜１１０−Ｎ）のうちの他を照明しないことにより、消費電流が低減される。
【００１３】
このとき、選択部（１０５）は、操作用キー（１１０−１〜１１０−Ｎ）のそれぞれが操作される頻度に基づいて、操作用キー（１１０−１〜１１０−Ｎ）のうちから照明対象キーを選択することが好ましい。操作される頻度が高い操作用キー（１１０−１〜１１０−Ｎ）は、照明される必要性が大きい。操作される頻度に基づいて照明対象キーが選択されることにより、照明される必要性が高い操作用キーが、照明対象キーとして適切に選択される。
【００１４】
当該携帯電話端末において、更に、音声通話とデータ通信とを行う無線部（１０１）を備えることがある。このとき、選択部（１０５）は、無線部（１０１）がデータ通信を行っている場合、操作用キー（１１０−１〜１１０−Ｎ）のうちから少なくとも一の照明対象キーを選択し、且つ、無線部（１０１）が音声通話を行っている場合、選択部（１０５）は、照明対象キーとして、操作用キー（１１０−１〜１１０−Ｎ）のいずれも選択しないことが好ましい。データ通信が行われている場合、データ通信を実行するためのキー操作を容易にするために、操作用キー（１１０−１〜１１０−Ｎ）のうちから少なくとも一が、照明対象キーとして選択される。その一方で、音声通話が行われている場合、キー操作は一般に行われない。そこで、キー（１１０−１〜１１０−Ｎ）のいずれも照明対象キーとして選択されないことにより、消費電流が低減される。
【００１５】
このとき、選択部（１０５）は、無線部（１０１）がデータ通信を行っている場合、無線部（１０１）がデータ通信を行っている間に操作用キー（１１０−１〜１１０−Ｎ）が操作された頻度に基づいて、操作用キー（１１０−１〜１１０−Ｎ）のうちから照明対象キーを選択することが好ましい。
【００１６】
また、当該携帯電話端末は、更に、データ通信によって送られてくるデータを表示する表示部（１１３）と、表示部（１１３）を照明する表示用照明部（１０９）とを備えることがある。このとき、表示用照明部（１０９）は、無線部（１０１）が音声通話を行っているとき、表示部（１１３）を照明しないことが好ましい。
【００１７】
当該携帯電話端末は、更に、操作用キー（１１０−１〜１１０−Ｎ）のうちの、ユーザによって指定されるユーザ設定キーを記憶するユーザ設定メモリ（１１２）を備え、選択部（１０５）は、照明対象キーがユーザ設定キーを含むように、照明対象キーを選択することが好ましい。
【００１８】
本発明による携帯電話端末は、複数の操作用キー（１１０−１〜１１０−Ｎ）と、無線部（１０１）と、操作用キー（１１０−１〜１１０−Ｎ）を照明するキー照明部（１０７）とキー照明部（１０７）に電力を供給する電源部（１０６）とを備えている。操作用キー（１１０−１〜１１０−Ｎ）は、通話の開始を無線部（１０１）に指示する通話開始キー（１１０−１）を含む。このとき、電源部（１０６）は、無線部（１０１）に着信があると、キー照明部（１０７）への電力の供給を開始し、且つ、通話開始キー（１１０−１）が押されると、キー照明部（１０７）への電力の供給を停止する。
【００１９】
当該携帯電話端末は、更に、表示を行う表示部（１１３）と、表示部（１１３）を照明する表示用照明部（１０９）と表示用照明部（１０９）に電力を供給する表示用電源部（１０８）とを備えることがある。このとき、表示用電源部（１０８）は、無線部（１０１）に着信があると、表示用照明部（１０９）への電力の供給を開始し、通話開始キー（１１０−１）が押されると、表示用照明部（１０９）に電力を供給することを停止することが好ましい。
【００２０】
本発明による携帯電話端末は、複数の操作用キー（１１０−１〜１１０−Ｎ）と、無線部（１０１）と、操作用キー（１１０−１〜１１０−Ｎ）を照明するキー照明部（１０７）と、キー照明部（１０７）に電力を供給する電源部（１０６）
とを備えている。操作用キー（１１０−１〜１１０−Ｎ）は、通話の開始を無線部（１０１）に指示する通話開始キー（１１０−１）を含む。電源部（１０６）は、通話開始キー（１１０−１）以外の操作用キー（１１０−２〜１１０−Ｎ）の操作が開始されると、キー照明部（１０７）への電力の供給を開始し、且つ、通話開始キー（１１０−１）が押されると、キー照明部（１０７）への電力の供給を停止する。
【００２１】
当該携帯電話端末は、更に、表示を行う表示部（１１３）と、表示部（１１３）を照明する表示用照明部（１０９）と、表示用照明部（１０９）に電力を供給する表示用電源部（１０８）とを備えることがある。このとき、表示用電源部（１０８）は、通話開始キー（１１０−１）以外の操作用キー（１１０−２〜１１０−Ｎ）の操作が開始されると、表示用照明部（１０９）への電力の供給を開始し、通話開始キー（１１０−１）が押されると、表示用照明部（１０９）に電力を供給することを停止することが好ましい。
【００２２】
本発明による携帯電話端末の制御方法は、複数の操作用キー（１１０−２〜１１０−Ｎ）のうちから照明対象キーを選択するステップと、照明対象キーを照明するステップとを備えている。
【００２３】
このとき、当該携帯電話端末の制御方法は、更に、操作用キー（１１０−１〜１１０−Ｎ）それぞれの使用頻度を検出するステップを備え、照明対象キーは、使用頻度に基づいて選択されることが好ましい。
【００２４】
本発明による携帯電話端末制御プログラムは、複数の操作用キー（１１０−１〜１１０−Ｎ）のうちから照明対象キーを選択するステップと、照明対象キーを照明するステップとを実行する。
【００２５】
このとき、携帯電話端末制御プログラムは、更に、操作用キー（１１０−１〜１１０−Ｎ）それぞれの使用頻度を検出するステップを実行し、照明対象キーは、使用頻度に基づいて選択されることが好ましい。
【００２６】
【発明の実施の形態】
以下、添付図面を参照しながら、本発明による実施の一形態の携帯電話端末を説明する。
【００２７】
図１は、本発明の実施の一形態の携帯電話端末の構成を示す。当該携帯電話端末１００は、無線部１０１、制御部１０５、キー照明駆動回路１０６、キー照明部１０７、表示部照明駆動回路１０８、表示部照明１０９、キー部１１０、表示部１１３を含む。キー照明部１０７は、キー照明１０７−１〜１０７−Ｎを含む。キー部１１０は、キー１１０−１〜１１０−Ｎを含む。キー１１０−１〜１１０−Ｎのうちのキー１１０−１は、通話開始キーである。
【００２８】
無線部１０１は、受信部１０２、シンセサイザ部１０３、送信部１０４を含む。受信部１０２は、音声通話が行われるとき、通話音声を受信する。更に受信部１０２は、データ通信が行われるとき、データを受信する。送信部１０４は、音声通話が行われるとき、通話音声を送信する。更に送信部１０４は、データ通信が行われるとき、データを送信する。無線部１０１には、制御部１０５が接続されている。
【００２９】
制御部１０５は、メモリ１１１とユーザ設定用メモリ１１２とを含む。メモリ１１１は、データ通信が行われている間にキー１１０−１〜１１０−Ｎが使用された頻度を示す頻度情報を記憶する。
【００３０】
ユーザ設定用メモリ１１２は、キー１１０−１〜１１０−Ｎのうちのいずれが、ユーザ選択照明キーであるかを示すユーザ選択情報を記憶する。ユーザは、キー１１０−１〜１１０−Ｎのうちからデータ通信が行われている間に照明されることを望むキーをユーザ選択照明キーとして選択し、ユーザ設定用メモリ１１２に登録することができる。
【００３１】
制御部１０５は、上述の頻度情報とユーザ選択情報とに基づいて、キー照明駆動回路１０６と表示部照明駆動回路１０８と制御する。
【００３２】
制御部１０５は、更に、プログラム記憶部（図示されない）を含む。そのプログラム記憶部は、制御部１０５が動作する手順が記載されたプログラムを記憶する。制御部１０５は、そのプログラムに記載された手順に従って、キー照明駆動回路１０６と表示部照明駆動回路１０８とを制御する。
【００３３】
キー照明駆動回路１０６は、キー照明部１０７に含まれるキー照明１０７−１〜１０７−Ｎのそれぞれに電力を供給する。キー照明駆動回路１０６は、制御部１０５の制御に従って、キー照明１０７−１〜１０７−Ｎに電力を供給する。キー照明１０７−１〜１０７−Ｎは、キー照明駆動回路１０６からの電力の供給を受けて、それぞれ、キー１１０−１〜１１０−Ｎを照明する。
【００３４】
表示部照明駆動回路１０８は、制御部１０５の制御に従って、表示部照明１０９に電力を供給する。表示部照明１０９は、表示部照明駆動回路１０８からの電力の供給を受けて、表示部１１３を照明する。表示部１１３は、データ通信の際に受信されたデータを表示する。
【００３５】
図２、図３、及び図４は、本実施の形態の携帯電話端末の動作を示すフローチャートである。図２、図３、及び図４のフローチャートに示された動作手順が、制御部１０５のプログラム記憶部が記憶するプログラムに記載されている。
【００３６】
データ通信のためにブラウザの使用が開始されたとする。ブラウザが立ち上げられ、データ通信が開始されると、図２に示されているように、制御部１０５は、データ通信が行われている間のキー１１０−１〜１１０−Ｎそれぞれの使用頻度を検出し、頻度情報としてメモリ１１１に記憶する（ステップＳ４０２）。
【００３７】
更に、制御部１０５は、キー１１０−１〜１１０−Ｎのうちから照明対象キーを選択する（ステップＳ４０４）。照明対象キーの選択は、以下のようにして行われる。キー１１０−１〜１１０−Ｎのそれぞれについて、使用頻度が高い順に順位が付される。キー１１０−１〜１１０−Ｎのうち、使用頻度が高い上位ｍ番目までのキーが、照明対象キーとして選び出される。ここで、ｍは、自由に設定が可能な自然数である。
【００３８】
このとき、キー１１０−１〜１１０−Ｎのうち、ユーザ選択照明キーとしてユーザ設定用メモリ１１２に登録されているキーは、使用頻度に関わらず照明対象キーとして選択される。
【００３９】
更に制御部１０５は、キー照明駆動回路１０６を制御して、キー照明１０７−１〜１０７−Ｎのうちの照明対象キーとして選択されたキーを照明するキー照明に、電力を供給する（ステップＳ４０６）。キー１１０−１〜１１０−Ｎのうち照明対象キーとして選択されたキーが照明される。一方、キー照明１０７−１〜１０７−Ｎのうち、照明対象キーとして選択されなかったキーを照明するキー照明には、電力は供給されない。キー１１０−１〜１１０−Ｎのうち照明対象キーとして選択されなかったキーは、照明されない。これにより、携帯電話端末の消費電流が低減される。
【００４０】
ブラウザを使用している間は、上述のステップＳ４０２〜Ｓ４０６が、繰り返して行われる（ステップＳ４０８）。ブラウザが終了されるまではキーの使用頻度が常に監視され、メモリ１１１に記憶される。キー照明１０７−１〜１０７−Ｎは、最新の頻度情報によって制御される。
【００４１】
ブラウザの使用が終了すると、ステップＳ４０２〜Ｓ４０６の実行は終了する（ステップＳ４０８）。
【００４２】
一方、携帯電話端末に音声通話の着呼が発生したとする。音声通話の着信があると、図３に示されているように、制御部１０５は、キー照明駆動回路１０６と表示部照明駆動回路１０８とを制御して、キー照明１０７−１〜１０７−Ｎと表示部照明１０９とへの電力の供給を開始する（ステップＳ５０２）。キー１１０−１〜１１０−Ｎと表示部１１３とが照明される。キー照明１０７−１〜１０７−Ｎと表示部照明１０９とへの電力の供給は、通話開始キー１１０−１が押されるまで継続される（ステップＳ５０４）。
【００４３】
通話開始キー１１０−１が押されると、制御部１０５は、キー照明駆動回路１０６と表示部照明駆動回路１０８とを制御して、キー照明１０７−１〜１０７−Ｎと表示部照明１０９とへの電力の供給を遮断する（ステップＳ５０６）。更に、無線部１０１が、音声通話を開始する（ステップＳ５０８）。
【００４４】
このとき、図４に示されているように、キー照明１０７と表示部照明１０９との電力の供給が停止された後に、送信部１０４への電力供給が開始されることが好ましい。音声通話が行われる場合、音声を送信する送信部１０４の消費電流は大きい。更に、キー照明１０７と表示部照明１０９とで消費される消費電流も大きい。キー照明１０７と表示部照明１０９との電力の供給が停止された後に、送信部１０４への電力供給が開始されることにより、携帯電話端末全体の瞬間最大消費電流が抑制され、携帯電話端末の各部に供給される電圧の降下が防がれる。
【００４５】
一方、ユーザが電話番号の入力のために、通話開始キー１１０−１以外のキー１１０−２〜１１０−Ｎの操作を開始したとする。キー１１０−２〜１１０−Ｎの操作が開始されると、図５に示されているように、制御部１０５は、キー照明駆動回路１０６と表示部照明駆動回路１０８とを制御して、キー照明１０７−１〜１０７−Ｎと表示部照明１０９とへの電力の供給を開始する（ステップＳ６０２）。キー１１０−１〜１１０−Ｎと表示部１１３とが照明される。キー照明１０７−１〜１０７−Ｎと表示部照明１０９とへの電力の供給は、電話番号の入力が完了して通話開始キー１１０−１が押されるまで継続される（ステップＳ５０４）。
【００４６】
通話開始キー１１０−１が押されると、制御部１０５は、キー照明駆動回路１０６と表示部照明駆動回路１０８とを制御して、キー照明１０７−１〜１０７−Ｎと表示部照明１０９とへの電力の供給を遮断する（ステップＳ５０６）。更に、無線部１０１は、音声通話を開始する（ステップＳ５０８）。
【００４７】
このとき、図６に示されているように、キー照明１０７と表示部照明１０９との電力の供給が停止された後に、送信部１０４への電力供給が開始されることが好ましい。携帯電話端末全体の瞬間最大消費電流が抑制され、携帯電話端末の各部に供給される電圧の降下が防がれる。
【００４８】
本実施の形態の携帯電話端末は、データ通信が行われている間、キーの使用頻度に応じて照明対象キーが選択され、その照明対象キーのみが照明される。照明対象キー以外のキーは照明されない。これにより、携帯電話端末の消費電流が低減される。また、操作される頻度が高いキーが照明対象キーとして選択されることにより、照明される必要性が高い操作用キーが、照明対象キーとして適切に選択される。
【００４９】
また、本実施の形態の携帯電話端末は、音声通話の着呼が発生したとき、通話の開始を指示する通話開始キーが押されると、キーと表示部の照明が停止される。更に、音声通話の発呼の際に、通話の開始を指示する通話開始キーが押されると、キーと表示部の照明が停止される。これにより、携帯電話端末の消費電流が低減される。
【００５０】
消費電流が低減されることにより、携帯電話端末の電池の使用時間が長くなり、携帯電話端末全体に供給される電圧の降下が効果的に防がれる。
【００５１】
【発明の効果】
本発明により、消費電流が低減された携帯電話端末が提供される。
【００５２】
また、本発明により、電池の使用時間が長い携帯電話端末が提供される。
【００５３】
また、本発明により、携帯電話端末全体に供給される電圧の降下が効果的に防がれた携帯電話端末が提供される。
【図面の簡単な説明】
【図１】図１は、本発明の実施の一形態の携帯電話端末の構成を示す。
【図２】図２は、本実施の形態の携帯電話端末の動作を示す。
【図３】図３は、本実施の形態の携帯電話端末の動作を示す。
【図４】図４は、本実施の形態の携帯電話端末の動作を示す。
【図５】図５は、本実施の形態の携帯電話端末の動作を示す。
【図６】図６は、本実施の形態の携帯電話端末の動作を示す。
【符号の説明】
１０１：無線部
１０２：制御部
１０３：シンセサイザ部
１０４：送信部
１０５：制御部
１０６：キー照明駆動回路
１０７：キー照明部
１０７−１〜１０７−Ｎ：キー照明
１０８：表示部照明駆動回路
１０９：表示部照明
１１０：キー部
１１０−１：通信開始キー
１１０−２〜１１０−Ｎ：キー
１１１：メモリ
１１２：ユーザ設定用メモリ
１１３：表示部
【図１】
0004131089.tif 000002
【図２】
0004131089.tif 000003
【図３】
0004131089.tif 000004
【図４】
0004131089.tif 000005
【図５】
0004131089.tif 000006
【図６】
0004131089.tif 000007